(57)【特許請求の範囲】
【請求項１】
対象にする電波の偏波方向に合わせて短冊状のフェライト磁性板を等間隔に配列するとともに、フェライト磁性板の後方に反射鉄筋を配筋した電波吸収体と、
該電波吸収体の前面に配置され、電波吸収プレキャストコンクリート板の表面を構成する押出し成形板と、
該押出し成形板と反射鉄筋との間に打設され、前記フェライト磁性板と前記反射鉄筋との間に電波吸収特性の安定化を図るインピーダンス層を構成するコンクリート構造体と
を備えた電波吸収プレキャストコンクリート板であって、
フェライト磁性板の配置方向と直交するとともに、フェライト磁性板と押出し成形板との層間に連絡された裏足結合部をフェライト磁性板と該フェライト磁性板と間隔をあけて隣り合うフェライト磁性板との間に設け、
前記足裏結合部は、フェライト磁性板の配置方向と直交するように押出し成形板に形成された蟻穴と、フェライト磁性板と押出し成形板との層間において連絡するようにコンクリート構造体に形成された蟻ほぞとで構成されたことを特徴とする電波吸収プレキャストコンクリート板。
【発明の詳細な説明】
【０００１】
【発明の属する技術分野】
本発明は、フェライト磁性板と反射鉄筋から成る電波吸収体を簡潔に構成して電磁波による反射障害を防止する電波吸収プレキャストコンクリート板に関する。
【０００２】
【従来の技術】
建築物が高層化すると、これに反射した電波が周辺に二次ノイズを発生させることで電磁波障害を生じさせる状況が多くなっている。
【０００３】
現状においては、ＶＨＦ，ＵＨＦの両テレビ電波が高層建物に反射して遠距離までその影響を及ぼしており、広範囲の地域にゴースト等の電波障害を与えている。
【０００４】
このため、テレビ電波の反射障害と遮蔽障害については、従来から高層の建物においてテレビ電波の障害対策が検討されてきている。
【０００５】
電波を反射させずに吸収する対策としては、その施工の工業化を図ることも考慮して、フェライトタイルを打ち込んだプレキャストコンクリート（以下、「ＰＣ」と略称する）造の外装材を外壁面に採用して建築物に電磁波吸収性能を持たせる方法等が多く採用されてきた。
【０００６】
従来の電波吸収ＰＣ板２０は、図５（ａ）に示すように、表面にタイル２１を並べ、このタイル２１の裏面にフェライト板２２を直接セットしており、その後方に平面視格子状の反射鉄筋２３を配筋してコンクリート２４によって一体に形成されている。
【０００７】
この際のタイル２１とコンクリート２４との結合は、タイル２１に設けた突条やアンカー等の複雑な結合部材２５によっており、タイル２１のコストアップ要因になっており、フェライト板の使用量が多いことと合わせて電波吸収ＰＣ板の製造コストを増大させている。
【０００８】
又、他の方法として、図５（ｂ）に示すように、表面に平板状のタイル２６を並べて、その上面にモルタル２７を打設し、このモルタル２７の上面に、フェライト板２２とアンカー筋２８とを埋設させた後に、反射鉄筋２３の配筋とコンクリート２４の打設で構成する構造の電波吸収ＰＣ板２９も提案されているが、生産性が悪く製作コストを嵩張らせており、フェライト板の使用量も改善されていないことと合わせて上記と同様の問題点を抱えている。
【０００９】
さらに、タイル等の電波吸収ＰＣ板の外装材によってフェライトの表面を露出させることができないことから、フェライト磁性体の表面及びその間隙に、空気とは異なる物体が存在することになり、このために、インピーダンスの調整が困難になって、電波吸収体が設計当初の電波吸収性能を確保できなくなり、建物の外壁における電磁環境を所望の状況に確立出来ない問題も発生してその解決も求められている。
【００１０】
【発明が解決しようとする課題】
本発明は、上記の状況に鑑みてその解決を図っているものであり、電波吸収ＰＣ板における特性の安定を図ると共に、電波吸収体と表面を形成する押出し成形板とをコンクリート構造体で一体の電波吸収ＰＣ板に構成するための結合部を簡潔に構成して、コストの低減を図る電波吸収ＰＣ板を提供している。
【００１１】
【課題を解決するための手段】
請求項１に記載の発明である電波吸収ＰＣ板は、対象にする電波の偏波方向に合わせて短冊状のフェライト磁性板を等間隔に配列するとともに、フェライト磁性板の後方に反射鉄筋を配筋した電波吸収体と、該電波吸収体の前面に配置され、電波吸収プレキャストコンクリート板の表面を構成する押出し成形板と、該押出し成形板と反射鉄筋との間に打設され、前記フェライト磁性体と前記反射鉄筋との間に電波吸収特性の安定化を図るインピーダンス層を構成するコンクリート構造体とを備えた電波吸収プレキャストコンクリート板であって、フェライト磁性板の配置方向と直交するとともに、フェライト磁性板と押出し成形板との層間に連絡された裏足結合部をフェライト磁性板と該フェライト磁性板と間隔をあけて隣り合うフェライト磁性板との間に設け、前記足裏結合部は、フェライト磁性板の配置方向と直交するように押出し成形板に形成された蟻穴と、フェライト磁性板と押出し成形板との層間において連絡するようにコンクリート構造体に形成された蟻ほぞとで構成されたことを特徴とする。
【００１５】
【発明の実施の形態】
本発明による電波吸収ＰＣ板は、基本的に、対象にする電波の偏波方向に合わせて等間隔に配列された短冊状のフェライト磁性板と反射鉄筋から構成する電波吸収体と、電波吸収体の前面に配置されて電波吸収ＰＣ板の表面を形成しコンクリート構造部との裏足結合部を備えた押出し成形板及び電波吸収体と押出し成形板とを一体に形成するコンクリート構造部から構成しており、フェライト磁性体と反射鉄筋との間に打設されたコンクリートをインピーダンス整合層として電波吸収特性の安定化を図ると共に、電波吸収ＰＣ板の結合構造を簡潔にして軽量化とコストの低減を図っている。
以下、本発明による電波吸収ＰＣ板の実施の形態を図面に基づいて説明する。
【００１６】
図１は、電波反射体を反射鉄筋で構成した本発明による電波吸収ＰＣ板の斜視図である。
【００１７】
本実施の形態では、対象にする電波をテレビ電波にしているので、電波吸収ＰＣ板１は、垂直方向に所定の間隔で配置されたフェライト電波吸収体２と電波吸収ＰＣ板１の表面を形成している押出し成形板３とを、押出し成形板３の前面４を残してコンクリート構造部５の内部に一体に埋め込んだ状態で構築されている。
尚、コンクリート構造部５には、必要に応じて補強鉄筋６が配筋されている。
【００１８】
図２は、フェライト電波吸収体の構成を示す縦断面図である。
【００１９】
図示のように、フェライト電波吸収体２は、押出し成形板３、フェライト磁性板７、フェライト磁性板７と反射鉄筋８との間に打設されたコンクリート９及び反射鉄筋８から構成されている。
【００２０】
このような認識は、従来のフェライト磁性体を用いた電波吸収ＰＣ板では、考慮されていなかったものであり、フェライト電波吸収体をフェライト磁性体と反射鉄筋とで構成されるものとして、コンクリート構造体は単に電波吸収ＰＣ板の支持体として位置付けており、外表面を形成している押出し成形板の電磁的影響も考慮されていなかったからである。
【００２１】
しかしながら、本発明では、押出し成形板３が電波吸収ＰＣ板１の電波吸収性能に与える影響を、上記コンクリート９をインピーダンス整合層として勘案することによって対処している。
【００２２】
このために、フェライト電波吸収体２は、実体的に押出し成形板３、フェライト磁性体７、反射鉄筋８、フェライト磁性体７と反射鉄筋８との間に打設されたコンクリート９から構成された多層形電波吸収体を形成するものとしている。
【００２３】
従って、電波吸収性能に影響する終端短絡の等価線路の入力インピーダンスは、下記の式１で表現されるものとし、上記の各構成部材を各層として、媒質ｎの伝搬定数γn、固有インピーダンスＺ0n及び厚さｄnを定めることで、垂直入射のインピーダンスＺnを各層毎に計算している。これによって、電波吸収体の反射係数Ｒは次式によって算出されることになり、各層の媒質定数（μn及びεn）と厚さｄnの設定で、反射係数の周波数特性を求めている。
【００２４】
Ｒ＝（Ｚ1−Ｚ0）／（Ｚ1+Ｚ0）
【００２５】
【式１】
0004423631.tif 000002
【００２６】
上式に基づいた検証によると、インピーダンス整合層９を勘案する場合としない場合とでは、広域の周波数帯において２０ｄＢ以上の反射損失を得られるか否かの差になることが実証されている。
【００２７】
又、電波吸収体への電波の入射角度においても、インピーダンス整合層の存在によって電波吸収体の電波吸収性能に影響の出ることが確認されている。
【００２８】
以上のように、本発明による電波吸収ＰＣ板１では、フェライト電波吸収体２が押出し成形板３、フェライト磁性板７と反射鉄筋８及びフェライト磁性板７と反射鉄筋８との間に打設されたコンクリート９から構成され、電波の吸収性能としては、押出し成形板３を加味してコンクリート９の厚さ等を調整することによって、最終的に設定できるものである。
【００２９】
このことから、押出し成形板３は、電波吸収ＰＣ板１の外表面を構成する前面４とフェライト磁性板７と接合する裏面１５を有するスパンクリート、アスロック等の成形板から構成され、後述する簡易な結合部によって押出し成形板３とフェライト磁性板７と共にコンクリート構造部５と一体に結合できるようにしている。
【００３０】
図３は、図１における（３）−（３）矢視断面図であり、フェライト磁性板の配列状態を示している。
【００３１】
本実施の形態では、フェライト磁性板７は、複数の単位磁性板１０を短冊状に連続的に接合させることで一体の板として形成されており、テレビ電波の偏波方向に合わせて垂直方向に並行に配置されている。
【００３２】
フェライト磁性板７の間隔１１は、押出し成形板３とコンクリート構造部５との結合強度を考慮して設定されることになるが、フェライト磁性板７が形成している巾の約１／３程度の開きが適当である。
【００３３】
押出し成形板３とコンクリート構造部５との結合部１２は、裏足結合によって構成されており、このために、押出し成形板３にはフェライト磁性板７の配置方向と直交させた水平方向に複数の蟻穴１３を形成している。
【００３４】
この蟻穴１３に対応させて、コンクリート構造部５には、蟻ほぞ１４が形成されており、電波吸収ＰＣ板１を構築する際に打設されるコンクリート構造部５のコンクリートが押出し成形板３の蟻穴１３を型枠にして一体に構成している。
【００３５】
従って、押出し成形板３とコンクリート構造部５との結合部１２は、フェライト磁性板７の間隔１１に形成されることになり、前述のようにフェライト磁性板７の間隔１１が蟻ほぞ１４の断面積を決定することから、その間隔１１の決定は、電波吸収ＰＣ板の吸収性能と共に電波吸収ＰＣ板を一体にするための接合強度をも考慮しながら判断されることになる。
【００３６】
図４は、図３における（４）−（４）矢視断面図であり、押出し成形板とコンクリート構造部との結合状態をを示している。
【００３７】
図示のように、押出し成形板３とコンクリート構造部５との結合は、結合部１２によって構成されている。結合部１２は、押出し成形板３側に形成された裏足１５によって画成されてフェライト磁性板７の間隙に相当する位置に形成される蟻穴１３とコンクリート構造部５側に形成された蟻ほぞ１４から構成されており、コンクリート構造部５から押出し成形板３が剥離しないように堅固な結合を確立している。
【００３８】
上述のように、蟻ほぞ１４の引張力とせん断応力とは、フェライト磁性板７の間隔１１で決定される蟻ほぞ１４の断面積によって決められることから、フェライト磁性板７の配列間隔と蟻ほぞ１４の形成間隔とは、それらを勘案して設定されている。
【００３９】
又、蟻穴１３の間は、フェライト磁性板７と押出し成形板３との層間に形成された蟻穴１６によって互いに連絡されている。このために、蟻穴１６には、蟻ほぞ１４が形成される際に流出してくるコンクリートノロによって構成される連絡蟻ほぞ１７を形成することになる。
【００４０】
この連絡蟻ほぞ１７によって、フェライト磁性板７はコンクリート構造部５に圧着されることでその接合力を強化されており、同時に、押出し成形板３も蟻ほぞ１４と連絡蟻ほぞ１７とによってコンクリート構造部５との結合力を強化している。
【００４１】
以上のように、本発明による電波吸収ＰＣ板は、フェライト磁性体と反射鉄筋との間に打設されたコンクリートをインピーダンス整合層とし、押出し成形板とコンクリート構造部との結合を裏足結合部で構成しているので、電波吸収特性の安定化を図ると共に、電波吸収ＰＣ板の結合構造を簡潔にして軽量化とコストの低減を図っている。
【００４２】
以上、本発明について実施の形態に基づいて詳細に説明してきたが、本発明は上述した実施の形態に何ら限定されるものでなく、本発明の趣旨を逸脱しない範囲において種々の変更が可能であることは当然のことである。
【００４３】
【発明の効果】
本発明である電波吸収ＰＣ板は、対象にする電波の偏波方向に合わせて短冊状のフェライト磁性板を等間隔に配列するとともに、フェライト磁性板の後方に反射鉄筋を配筋した電波吸収体と、電波吸収体の前面に配置され、電波吸収プレキャストコンクリート板の表面を構成する押出し成形板と、押出し成形板と反射鉄筋との間に打設され、フェライト磁性体と反射鉄筋との間に電波吸収特性の安定化を図るインピーダンス層を構成するコンクリート構造体とを備えた電波吸収プレキャストコンクリート板であって、フェライト磁性体の配置方向と直交するとともに、フェライト磁性体と押出し成形板との層間に連絡された裏足結合部をフェライト磁性体と該フェライト磁性板と間隔をあけて隣り合うフェライト磁性体との間に設け、足裏結合部は、フェライト磁性板の配置方向と直交するように押出し成形板に形成された蟻穴と、フェライト磁性板と押出し成形板との層間において連絡するようにコンクリート構造体に形成された蟻ほぞとで構成されたので、フェライト磁性体と反射鉄筋との間に打設され、インピーダンス整合層を構成するコンクリート構造体が電波吸収特性の安定化を図ると共に、電波吸収ＰＣ板の結合構造を簡潔にして軽量化とコストの低減を図る効果を奏している。
【図面の簡単な説明】
【図１】本発明による電波吸収ＰＣ板を示す斜視図
【図２】本発明による電波吸収ＰＣ板のインピーダンス整合図
【図３】本発明による電波吸収ＰＣ板のフェライト磁性板を示す図１における（３）−（３）矢視図
【図４】本発明による電波吸収ＰＣ板の結合を示す図１における（４）−（４）矢視図
【図５】従来の電波吸収ＰＣ板を示す立断面図
【符号の説明】
１  電波吸収ＰＣ板、  ２  フェライト電波吸収体、  ３  押出し成形板、
４  押出し成形板の前面、  ５  コンクリート構造部、  ６  補強鉄筋、
７  フェライト磁性体、  ８  反射鉄筋、
９  コンクリート（インピーダンス整合層）、  １０  単位磁性板、
１１ フェライト磁性体の間隙、  １２  結合部、  １３、１６  蟻穴、
１４  蟻ほぞ、  １５  押出し成形板の裏面、  １７  連絡蟻ほぞ、
２０  電波吸収ＰＣ板、  ２１  タイル、  ２２  フェライト磁性体、
２３  反射鉄筋、  ２４  コンクリート、  ２５  突状、  ２６  タイル、
２７  モルタル、  ２８  アンカー筋、  ２９  電波吸収ＰＣ板、
【図１】
0004423631.tif 000003
【図２】
0004423631.tif 000004
【図３】
0004423631.tif 000005
【図４】
0004423631.tif 000006
【図５】
0004423631.tif 000007